(57)【要約】【課題】  レイアウト印刷時において、ユーザが指定したサイズの用紙がない場合に、１ページ分の画像データの印刷サイズが、ユーザが意図（許容）したものより、更に小さいサイズとなってしまうことを防止する。【解決手段】  レイアウト印刷時において、ユーザが指定したサイズの用紙（設定用紙）がない場合には（Ｓ５：ＮＯ）、供給可能な用紙（印刷用紙）に、ユーザが許容した印刷サイズである１ページ分の縮小データが印刷される（Ｓ４５）。したがって、レイアウト印刷時において、ユーザが指定したサイズの用紙がない場合に、１ページ分の画像データの印刷サイズが、ユーザが意図（許容）したものより、更に小さいサイズとなってしまうことを防止することができる。【選択図】図３
2009133889.tif 000002
【特許請求の範囲】
【請求項１】
複数ページ分の画像データを縮小して１枚の記録シートの一面側に印刷するレイアウト印刷用のデータを作成する作成手段と、
実際に印刷に用いられる記録シートである印刷シートのサイズが、前記レイアウト印刷用に設定された記録シートである設定シートのサイズより小さいか否かを判定する第１判定手段と、
前記第１判定手段により、前記印刷シートのサイズが前記設定シートのサイズより小さいと判定された場合に、前記レイアウト印刷用に縮小された１ページ分の画像データである縮小データを印刷するために必要なサイズが、前記印刷シートのサイズ以下であるか否かを判定する第２判定手段と、
前記第２判定手段により、前記縮小データを印刷するために必要なサイズが、前記印刷シートのサイズ以下であると判定された場合に、前記縮小データを前記印刷シートに印刷する印刷手段と
を備えることを特徴とする印刷装置。
【請求項２】
前記印刷シートに印刷可能な前記縮小データの数を算出する第１算出手段を備えており、
さらに、前記印刷手段は、前記第１算出手段により算出された数と同数ページ分の前記縮小データを前記印刷シートに印刷することを特徴とする請求項１に記載の印刷装置。
【請求項３】
前記印刷手段により前記印刷シートに印刷された前記縮小データの全てが、前記印刷シートに印刷されたか否か判定する第３判定手段と、
前記第３判定手段により、前記縮小データの全てが、前記印刷シートに印刷されなかったと判定された場合に、前記印刷シートのサイズを検出する検出手段と、
前記検出手段により検出された前記印刷シートのサイズに基づいて、前記印刷シートに印刷可能な前記縮小データの数を算出する第２算出手段とを備え、
前記印刷手段は、前記第２算出手段により算出された数と同数ページ分の前記縮小データを前記印刷シートに印刷することを特徴とする請求項２に記載の印刷装置。
【請求項４】
前記第２判定手段により、前記縮小データを印刷するために必要なサイズが、前記印刷シートのサイズより大きいと判定された場合に、少なくともその旨を報知する報知手段を備えることを特徴とする請求項１ないし３のいずれか１つに記載の印刷装置。
【請求項５】
前記レイアウト印刷用のデータを縮小して前記印刷シートに印刷するか、前記縮小データをさらに縮小して前記印刷シートに印刷するかを選択するための第１選択手段を備えることを特徴とする請求項４に記載の印刷装置。
【請求項６】
前記第１判定手段により、前記印刷シートのサイズが前記設定シートのサイズより小さいと判定された場合に、前記作成手段により作成された前記レイアウト印刷用のデータを縮小して前記印刷シートに印刷するか否かを選択するための第２選択手段を備えることを特徴とする請求項１ないし５のいずれか１つに記載の印刷装置。
【請求項７】
前記第１判定手段により、前記印刷シートのサイズが前記設定シートのサイズより小さいと判定された場合に、前記印刷手段による印刷を実行するか否かを選択するための第３選択手段を備えることを特徴とする請求項１ないし６のいずれか１つに記載の印刷装置。
【発明の詳細な説明】
【技術分野】
【０００１】
本発明は、複数ページ分の画像データを縮小して１枚の記録シートの一面側に印刷するレイアウト印刷が可能な印刷装置に関するものである。
【背景技術】
【０００２】
例えば、特許文献１の発明では、ユーザが指定したサイズの記録シートが給紙不可能な場合には、印刷対象となる画像データを給紙可能な他のサイズの記録シートに合わせて拡大・縮小して印刷している。
【特許文献１】特開平５−３２３７３９号公報
【発明の開示】
【発明が解決しようとする課題】
【０００３】
しかし、レイアウト印刷においては、ユーザにより指定されたレイアウトに従って印刷が実行された場合であっても、１ページ分の画像データは、本来の印刷サイズより縮小されて印刷されるので、ユーザが指定したサイズの記録シートがない場合に、その指定されたサイズより更に小さいサイズの記録シートに合わせて画像データが縮小されてしまうと、１ページ分の画像データの印刷サイズが、ユーザが意図（許容）したものより、更に小さいサイズとなってしまう。
【０００４】
本発明は、上記点に鑑み、レイアウト印刷時において、ユーザが指定したサイズの記録シートがない場合に、１ページ分の画像データの印刷サイズが、ユーザが意図（許容）したものより、更に小さいサイズとなってしまうことを防止可能な印刷装置を提供することを目的とする。
【課題を解決するための手段】
【０００５】
本発明は、上記目的を達成するために、請求項１に記載の発明では、複数ページ分の画像データを縮小して１枚の記録シートの一面側に印刷するレイアウト印刷用のデータを作成する作成手段と、実際に印刷に用いられる記録シート（以下、この記録シートを印刷シートという。）のサイズが、レイアウト印刷用に設定された記録シート（以下、この記録シートを設定シートという。）のサイズより小さいか否かを判定する第１判定手段と、第１判定手段により、印刷シートのサイズが設定シートのサイズより小さいと判定された場合に、レイアウト印刷用に縮小された１ページ分の画像データ（以下、この画像データを縮小データという。）を印刷するために必要なサイズが、印刷シートのサイズ以下であるか否かを判定する第２判定手段と、第２判定手段により、縮小データを印刷するために必要なサイズが、印刷シートのサイズ以下であると判定された場合に、縮小データを印刷シートに印刷する印刷手段とを備えることを特徴とする。
【０００６】
これにより、請求項１に記載の発明では、レイアウト印刷時において、ユーザが指定したサイズの記録シート（設定シート）がない場合には、供給可能な記録シート（印刷シート）に、ユーザが許容した印刷サイズである１ページ分の画像データ（縮小データ）が印刷されることとなる。
【０００７】
したがって、レイアウト印刷時において、ユーザが指定したサイズの記録シートがない場合に、１ページ分の画像データの印刷サイズが、ユーザが意図（許容）したものより、更に小さいサイズとなってしまうことを防止することができる。
【０００８】
請求項２に記載の発明では、印刷シートに印刷可能な縮小データの数を算出する第１算出手段を備えており、さらに、印刷手段は、第１算出手段により算出された数と同数ページ分の縮小データを印刷シートに印刷することを特徴とする。
【０００９】
これにより、請求項２に記載の発明では、複数ページ分の画像データを印刷シートに印刷することができるので、記録シート（印刷シート）の消費量増を抑制することができる。
【００１０】
請求項３に記載の発明では、印刷手段により印刷シートに印刷された縮小データの全てが、実際に印刷シートに印刷されたか否か判定する第３判定手段と、第３判定手段により、縮小データの全てが、実際に印刷シートに印刷されなかったと判定された場合に、印刷シートの実際のサイズを検出する検出手段と、検出手段により検出された印刷シートのサイズに基づいて、印刷シートに印刷可能な縮小データの数を算出する第２算出手段とを備え、印刷手段は、第２算出手段により算出された数と同数ページ分の縮小データを印刷シートに印刷することを特徴とする。
【００１１】
これにより、請求項３に記載の発明では、記録シート（印刷シート）に画像データを印刷することができるので、記録シート（設定シート）を補充することなく、印刷を実行することが可能となる。
【００１２】
なお、請求項３に記載の発明では、第１算出手段と第２算出手段とをそれぞれ独立に設けた場合、及び第１算出手段と第２算出手段とを共通化した場合のいずれも含まれる。
請求項４に記載の発明では、第２判定手段により、縮小データを印刷するために必要なサイズが、印刷シートのサイズより大きいと判定された場合に、少なくともその旨を報知する報知手段を備えることを特徴とするものである。
【００１３】
請求項５に記載の発明では、レイアウト印刷用のデータを縮小して印刷シートに印刷するか、縮小データをさらに縮小して印刷シートに印刷するかを選択するための第１選択手段を備えることを特徴とする。
【００１４】
これにより、請求項５に記載の発明では、印刷装置の利便性を向上させることができる。
請求項６に記載の発明では、第１判定手段により、印刷シートのサイズが設定シートのサイズより小さいと判定された場合に、作成手段により作成されたレイアウト印刷用のデータを縮小して印刷シートに印刷するか否かを選択するための第２選択手段を備えることを特徴とする。
【００１５】
これにより、請求項６に記載の発明では、印刷装置の利便性を向上させることができる。
請求項７に記載の発明では、第１判定手段により、印刷シートのサイズが設定シートのサイズより小さいと判定された場合に、印刷手段による印刷を実行するか否かを選択するための第３選択手段を備えることを特徴とする。
【００１６】
これにより、請求項７に記載の発明では、印刷装置の利便性を向上させることができる。
【発明を実施するための最良の形態】
【００１７】
本実施形態は、原稿に記載された画像を読み取り、その読み取りデータを印刷する複写機に本発明に係る印刷装置を適用したものであり、以下に本発明の実施形態を図面と共に説明する。
【００１８】
１．図面の説明
図１は、本実施形態に係る印刷装置（複写機）１の機械的構成を示す模式図であり、図２は印刷装置１の電気的構成を示すブロック図であり、図３は印刷装置１の特徴的制御を示すフローチャートであり、図４（ａ）〜図４（ｃ）は印刷装置１の表示部３１に表示される表示メッセージ例を示す図であり、図５（ａ）はレイアウト印刷の一例を示す図であり、図５（ｂ）及び図５（ｃ）は印刷結果の一例を示す図である。
【００１９】
２．印刷装置（複写機）の概要
２．１．機械的構成（図１参照）
本実施形態に係る印刷装置１は、図１に示すように、上部側に原稿に記載された画像（文字も含む。）を読み取る読取部（スキャナ部）２０が設けられ、下部側に読取部２０にて読み取られた画像データを印刷するプリンタ部１０が設けられている。
【００２０】
プリンタ部１０は、周知の電子写真方式の画像形成手段にて構成されたものであり、具体的には、用紙やＯＨＰシート等の記録シート（以下、単に「用紙」という。）にトナー像を転写する現像器１１、現像器１１の感光ドラム１１Ａを露光する露光器１２、用紙に転写されたトナーを加熱して用紙に定着させる定着器１３等から構成されている。
【００２１】
また、プリンタ部１０の下方側には、現像器１１に供給される用紙が、少なくとも２枚以上載置可能な第１給紙トレイ１４及び第２給紙トレイ１５が設けられており、印刷に用いられる用紙のサイズに応じて、いずれかの給紙トレイ１４、１５から用紙が現像器１１に供給される。
【００２２】
なお、第１給紙ローラ１４Ａは第１給紙トレイ１４に載置されている用紙を現像器１１に搬送するための搬送手段であり、第２給紙ローラ１５Ａは第２給紙トレイ１５に載置されている用紙を現像器１１に搬送するための搬送手段である。
【００２３】
また、印刷装置１の前面側上部には、ユーザにより操作される操作部３０、及び各種の情報を表示する表示部３１等が設けられており、ユーザは、操作部３０を操作することにより、印刷装置１の動作又は印刷装置１における各種設定を行わせることができる。
【００２４】
２．２．電気的構成（図２参照）
図２に示すように、現像器１１や露光器１２等の機器は、制御部３２により制御されており、この制御部３２は、ＣＰＵ、ＲＯＭ及びＲＡＭ等からなる周知のマイクロコンピュータにて構成されている。
【００２５】
メインモータ３３は、第１給紙ローラ１４Ａや第２給紙ローラ１５Ａ等に駆動力を付与する動力源であり、第１用紙センサ３４Ａは第１給紙トレイ１４に用紙があるか否かを検出する検出手段であり、第２用紙センサ３４Ｂは第２給紙トレイ１５に用紙があるか否かを検出する検出手段である。
【００２６】
また、記憶部３５は、読取部２０で読み取られた読取データ等を記憶する記憶手段であり、この記憶部３５は、フラッシュメモリ等の不揮発性半導体記憶装置又はＨＤＤ等の磁気記憶装置にて構成されている。
【００２７】
３．本実施形態に係る印刷装置の特徴的作動
図３に示す制御（以下、この制御をレイアウト印刷制御という。）は、本実施形態に係る印刷装置の特徴的作動を示すものであり、このレイアウト印刷制御は、レイアウト印刷が、ユーザにより選択されたときに起動される。なお、レイアウト印刷制御を実行させるためのプログラムは、制御部３２のＲＯＭに格納されており、このプログラムは制御部３２で実行される。
【００２８】
ここで、レイアウト印刷とは、図５（ａ）に示すように、複数ページ分の画像データを縮小して１枚の用紙の一面側に印刷することをいい、レイアウト印刷制御とは、レイアウト印刷のための制御をいう。
【００２９】
以下、複数枚の原稿を読取部２０にて読み取り、その読取データを読取原稿枚数より少ない枚数の用紙にレイアウト印刷を実行する場合を例に、レイアウト印刷制御を図３に基づいて説明する。
【００３０】
複数枚の原稿が読取部２０に読み取られると、先ず、レイアウト印刷にて印刷すべきページがユーザにより設定されているか否かが判定され（Ｓ１）、レイアウト印刷にて印刷すべきページがないと判定された場合には（Ｓ１：ＮＯ）、本制御が終了し、１枚の用紙に１ページ分の読取データを印刷する通常印刷制御が実施される。なお、レイアウト印刷用のデータは、読取データに基づいて制御部３２にて作成される。
【００３１】
因みに、図３中、「Ｎｉｎ１」とは、Ｎページ分の読取データを縮小して１枚の用紙の一面側に印刷するレイアウト印刷を意味している。
一方、レイアウト印刷にて印刷すべきページがあると判定された場合には（Ｓ１：ＹＥＳ）、実際に印刷に用いられる用紙（以下、この用紙を印刷用紙という。）のサイズが、レイアウト印刷用にユーザにより設定された用紙（以下、この用紙を設定用紙という。）のサイズより小さいか否かが判定される（Ｓ５）。
【００３２】
ここで、印刷用紙とは、原則として、印刷に用いる用紙として、第１給紙トレイ１４及び第２給紙トレイ１５の中からユーザが選択した給紙トレイに載置されている用紙である。しかし、本実施形態では、第１用紙センサ１４Ａ又は第２用紙センサ１５Ａにより、ユーザが選択した給紙トレイに用紙が無いと判定された場合には、ユーザが選択していない方の給紙トレイに載置されている用紙が印刷用紙となる。
【００３３】
なお、本実施形態では、第１用紙センサ１４Ａ及び第２用紙センサ１５Ａは、用紙の有無のみ検出し、用紙のサイズは検出することができないので、本実施形態では、給紙トレイに実際に載置されている用紙のサイズではなく、予め給紙トレイ毎に設定されている用紙サイズに基づいて、印刷用紙のサイズが設定用紙のサイズより小さいか否かが判定される。
【００３４】
そして、印刷用紙のサイズが設定用紙のサイズより小さいと判定された場合には（Ｓ５：ＹＥＳ）、印刷用紙のサイズと設定用紙のサイズとが異なる旨の警告（図４（ａ）参照）、及び印刷処理を続行するか否かの決定をユーザに対して促すメッセージ（図４（ａ）参照）が表示部３１に表示される（Ｓ１０）。
【００３５】
次に、ユーザにより印刷処理を続行する旨の指示がされたか否か、つまり操作部３０又は表示部３１に設けられたスタートキー（図示せず。）又はストップキー（図示せず。）のいずれのキーが押下されたかが判定され（Ｓ１５）、ストップキーが押下されたと判定された場合には（Ｓ１５：ＮＯ）、本制御が終了する。
【００３６】
一方、スタートキーが押下されたと判定された場合には（Ｓ１５：ＹＥＳ）、１枚の用紙の一面側に複数ページ分を印刷するために縮小して配置されたレイアウト印刷用の画像データ（以下、この画像データをレイアウトデータ（図５（ａ）参照）という。）中のページ配置を変更することなく、レイアウトデータ全体を縮小して印刷用紙に印刷するか、又はレイアウトデータ用に縮小された１ページ分の画像データ（以下、この画像データを縮小データ（図５（ａ）参照）という。）の大きさを維持して印刷用紙に印刷するかの選択をユーザに対して促すメッセージが表示部３１に表示される（Ｓ２０）。
【００３７】
そして、レイアウトデータ全体を縮小して印刷用紙に印刷する旨がユーザにより選択されたと判定された場合には（Ｓ２０：全体縮小）、レイアウトデータ全体が印刷用紙に収まるように縮小された後（Ｓ２５）、その縮小されたレイアウトデータが実際に印刷され（Ｓ９０）、本制御が終了する。
【００３８】
また、縮小データの大きさを維持して印刷用紙に印刷する旨がユーザにより選択されたと判定された場合には（Ｓ２０：縮小データ）、縮小データの大きさを維持したまま縮小データを印刷するために必要なサイズが印刷用紙のサイズ以下であるか否か判定される（Ｓ３０）。
【００３９】
なお、このＳ３０においては、実際の用紙サイズを検出することができないので、Ｓ５と同様に、予め給紙トレイ毎に設定されている用紙サイズに基づいて、縮小データの大きさを維持したまま縮小データを印刷するために必要なサイズ（以下、このサイズを縮小データのサイズという。）が、印刷用紙のサイズ以下であるか否か判定される。
【００４０】
そして、縮小データのサイズが印刷用紙のサイズ以下であると判定された場合には（Ｓ３０：ＹＥＳ）、１枚の印刷用紙の一面に印刷可能な縮小データの数（以下、この数を印刷ページ数Ｍという。）が算出された後（Ｓ３５）、算出された印刷ページ数Ｍに基づいて、実際に印刷に用いる印刷用の画像データが再作成される（Ｓ４０）。
【００４１】
次に、Ｓ４０にて再作成された画像データのうち１枚分の画像データが実際に印刷用紙に印刷された後（Ｓ４５）、例えば特開２００７−２４５３６６号公報に記載の手法と同様な手法で、画像データの全てが印刷用紙からはみ出すことなく印刷用紙に印刷されたか否かが判定される（Ｓ５０）。
【００４２】
因みに、図５（ｂ）は、印刷ページ数Ｍが２のときの印刷結果の一例を示しており、図５（ｃ）は印刷ページ数Ｍが１のときの印刷結果の一例を示している。
このとき、画像データの全てが印刷用紙からはみ出すことなく印刷用紙に印刷されたと判定された場合には（Ｓ５０：ＹＥＳ）、全ての縮小データの印刷が終了したか否かが判定され（Ｓ５５）、終了していないと判定された場合には（Ｓ５５：ＮＯ）、Ｓ４５が再び実行される。一方、全ての縮小データの印刷が終了したと判定された場合には（Ｓ５５：ＹＥＳ）、本制御が終了する。
【００４３】
また、画像データの少なくとも一部が印刷用紙からはみ出したと判定された場合には（Ｓ５０：ＮＯ）、例えば特開２００７−２４５３６６号公報に記載の手法と同様な手法で、実際の印刷用紙のサイズが検出され、その検出された用紙のサイズが印刷用紙のサイズとして再設定された後（Ｓ６０）、この再設定された印刷用紙のサイズを用いて、再び、縮小データのサイズが印刷用紙のサイズ以下であるか否か判定される（Ｓ３０）。
【００４４】
また、Ｓ３０にて、縮小データのサイズが印刷用紙のサイズより大きいと判定された場合には（Ｓ３０：ＮＯ）、縮小データを１ページとしても印刷用紙に縮小データを印刷することができない旨の警告、及び印刷処理を続行するか否かの決定をユーザに対して促すメッセージ（図４（ｂ）参照）が表示部３１に表示される（Ｓ６５）。
【００４５】
次に、操作部３０又は表示部３１に設けられたスタートキー又はストップキーが、ユーザにより操作されたか否かに基づいて、レイアウト印刷制御を中止するか否か判定され（Ｓ７０）、ストップキーがユーザにより操作されたと判定された場合には（Ｓ７０：ＹＥＳ）、本制御が終了する。
【００４６】
一方、スタートキーがユーザにより操作されたと判定された場合には（Ｓ７０：ＮＯ）、縮小データの配置を変更することなく、レイアウトデータを縮小して印刷用紙に印刷するか、又は縮小データを縮小して印刷用紙に印刷するかの選択をユーザに対して促すメッセージ（図４（ｃ）参照）が表示部３１に表示される（Ｓ７５）。
【００４７】
そして、レイアウトデータを縮小して印刷用紙に印刷する旨がユーザにより選択されたか否かが判定され（Ｓ８０）、レイアウトデータを縮小して印刷用紙に印刷する旨が選択されたと判定された場合には（Ｓ８０：ＹＥＳ）、レイアウトデータが印刷用紙に収まるように縮小された後（Ｓ８５）、その縮小されたレイアウトデータが実際に印刷され（Ｓ９０）、本制御が終了する。
【００４８】
一方、レイアウトデータを縮小して印刷用紙に印刷する旨が選択されていない、つまり縮小データを縮小して印刷用紙に印刷する旨が選択されたと判定された場合には（Ｓ８０：ＮＯ）、１ページ分の縮小データが印刷用紙に収まるように縮小された後（Ｓ９５）、縮小データが実際に印刷され（Ｓ１００）、本処理が終了する。
【００４９】
４．本実施形態に係る印刷装置の特徴
本実施形態では、レイアウト印刷時において、ユーザが指定したサイズの用紙（設定用紙）がない場合には（Ｓ５：ＮＯ）、供給可能な用紙（印刷用紙）に、ユーザが許容した印刷サイズである１ページ分の縮小データが印刷され得る（Ｓ４５）。
【００５０】
したがって、レイアウト印刷時において、ユーザが指定したサイズの用紙がない場合に、１ページ分の画像データの印刷サイズが、ユーザが意図（許容）したものより、更に小さいサイズとなってしまうことを防止することができる。
【００５１】
また、本実施形態では、印刷用紙に印刷可能な縮小データの数（印刷ページ数Ｍ）を算出し、この算出された印刷ページ数Ｍと同数ページ分の縮小データを印刷用紙に印刷するので、複数ページ分の縮小データを印刷用紙に印刷することができ、印刷用紙の消費量増を抑制することができる。
【００５２】
また、本実施形態では、最初に算出された印刷ページ数Ｍと同数ページ分の縮小データを印刷用紙に実際に印刷することができなかった場合には、実際の印刷用紙のサイズを検出するとともに、この検出された印刷用紙のサイズに基づいて、再び印刷ページ数Ｍを算出し、この再び算出された印刷ページ数Ｍと同数ページ分の縮小データを印刷用紙に印刷するので、用紙（設定用紙）を補充することなく、印刷を実行することが可能となる。
【００５３】
５．発明特定事項と実施形態との対応関係
本実施形態では、制御部３２が特許請求の範囲に記載された作成手段に相当し、Ｓ５及び制御部３２が特許請求の範囲に記載された第１判定手段に相当し、Ｓ３０及び制御部３２が特許請求の範囲に記載された第２判定手段に相当する。
【００５４】
また、Ｓ４５、プリンタ部１０及び制御部３２が特許請求の範囲に記載された印刷手段に相当し、Ｓ３５及び制御部３２が特許請求の範囲に記載された第１算出手段及び第２算出手段に相当する。
【００５５】
また、Ｓ５０及び制御部３２が特許請求の範囲に記載された第３判定手段に相当し、Ｓ６０及び制御部３２が特許請求の範囲に記載された検出手段に相当し、Ｓ６５、制御部３２及び表示部３１が特許請求の範囲に記載された報知手段に相当する。
【００５６】
また、Ｓ７５及び制御部３２が特許請求の範囲に記載された第１選択手段に相当し、Ｓ２０及び制御部３２が特許請求の範囲に記載された第２選択手段に相当し、Ｓ１５及び制御部３２が特許請求の範囲に記載された第３選択手段に相当する。
【００５７】
（その他の実施形態）
上述の実施形態では、複数枚の原稿を読取部２０にて読み取り、その読取データを読取原稿枚数より少ない枚数の用紙にレイアウト印刷を実行する場合を例に、レイアウト印刷制御を説明したが、本発明はこれに限定されるものではなく、コンピュータから印刷装置に印刷指示をする場合、又は印刷対象データを印刷装置に読み込ませて、コンピュータを介すことなく、直接的に印刷するダイレクト印刷をする場合等にも適用できる。
【００５８】
また、上述の実施形態では、電子写真方式の印刷装置であったが、本発明の適用はこれに限定されるものではない。
また、本発明は、特許請求の範囲に記載された発明の趣旨に合致するものであればよく、上述の実施形態に限定されるものではない。
【図面の簡単な説明】
【００５９】
【図１】本実施形態に係る印刷装置（複写機）１の機械的構成を示す模式図である。
【図２】印刷装置１の電気的構成を示すブロック図である。
【図３】印刷装置１の特徴的制御を示すフローチャートである。
【図４】（ａ）〜図４（ｃ）は印刷装置１の表示部３１に表示される表示メッセージ例を示す図である。
【図５】（ａ）はレイアウト印刷の一例を示す図であり、（ｂ）及び（ｃ）は印刷結果の一例を示す図である。
【符号の説明】
【００６０】
１…印刷装置、１０…プリンタ部、１１…現像器、１１Ａ…感光ドラム、
１２…露光器、１４…給紙トレイ、１４…第１給紙トレイ、
１４Ａ…第１給紙ローラ、１５…第２給紙トレイ、１５Ａ…第２給紙ローラ、
１５Ａ…第２用紙センサ、２０…読取部、３０…操作部、３１…表示部、
３２…制御部、３３…メインモータ、３４Ａ…第１用紙センサ、
３４Ｂ…第２用紙センサ、３５…記憶部。
【図１】
2009133889.tif 000003
【図２】
2009133889.tif 000004
【図３】
2009133889.tif 000005
【図４】
2009133889.tif 000006
【図５】
2009133889.tif 000007